(57)【要約】 【課題】  流体通路を流通する流体の圧力損失を低くすることができるダンパ開閉装置を提供する。【解決手段】  ダンパ開閉装置１０は、外筒１と、外筒１の内側に配置されて外筒１に対して可動自在に支持されるとともに内部に流体通路７を有する内筒２と、流体通路７に開閉自在に配置された複数のダンパ３からなるダンパ群３０と、外筒１に対する内筒２の移動に連動させて、ダンパ３の傾斜角度を制御する角度制御手段とを備える。複数のダンパ３は、互いに内周縁部３１ｂを対向させて、それぞれ内筒２に揺動自在に支持されている。ダンパ３は、内筒２に対して揺動することにより流体通路７の軸方向に対する傾斜角度を変えることで流体通路を流通する流体の流通量を調整することができる。【選択図】  図４
2014184947.tif 000002
【特許請求の範囲】
【請求項１】
外筒と、該外筒の内側に配置されて該外筒に対して可動自在に支持されるとともに内部に流体通路を有する内筒と、前記流体通路に開閉自在に配置された複数のダンパからなるダンパ群とを備えるダンパ開閉装置であって、
複数の前記ダンパは、前記流体通路の周方向に配列させ、内周縁部を互いに対向させて前記流体通路に配置されており、
前記各ダンパを前記内筒に揺動自在に支持させ、前記ダンパを前記内筒に対して揺動させることにより前記流体通路の軸方向に対する前記ダンパの傾斜角度を変えて前記流体通路を流通する流体の流通量を調整し、
更に、前記外筒に対する前記内筒の移動に連動させて、前記ダンパの前記傾斜角度を制御する角度制御手段を備えることを特徴とするダンパ開閉装置。
【請求項２】
前記各ダンパは、前記傾斜角度が最大となる閉位置にあるときに、前記ダンパの外周縁部と前記内筒との間を閉じるとともに、前記ダンパの内周縁部と他の前記ダンパの内周縁部との間を閉じ、
前記各ダンパは、前記閉位置での最大の前記傾斜角度から該傾斜角度を減少させることで、前記ダンパの外周縁部と前記内筒との間を開くとともに、前記ダンパの内周縁部と他の前記ダンパの内周縁部との間を開く請求項１記載のダンパ開閉装置。
【請求項３】
前記流体通路の上流側に前記ダンパの前記内周縁部を配置し、前記流体通路の下流側に前記ダンパの前記外周縁部を配置している請求項１又は２に記載のダンパ開閉装置。
【請求項４】
前記ダンパは、前記ダンパの下流側に配置した前記外周縁部の開口面積を、前記ダンパの上流側に配置した前記内周縁部の開口面積よりも大きくする拡散吹付位置をもつ請求項３に記載のダンパ開閉装置。
【請求項５】
前記ダンパは、前記ダンパの下流側に配置した前記外周縁部の開口面積を、前記ダンパの上流側に配置した前記内周縁部の開口面積よりも小さくする集中吹付位置をもつ請求項３又は４に記載のダンパ開閉装置。
【請求項６】
前記内筒は、内周面側に設けられ周方向に離隔した位置に配置された複数組の一対の軸受部をもち、
前記各ダンパは、前記内筒の各一対の前記軸受部に軸支された一対の支持部をもち、前記各ダンパの前記外周縁部は一対の前記支持部の間であって前記支持部よりも径方向外側に形成され、前記各ダンパの前記内周縁部は、一対の該支持部の間であって前記支持部よりも径方向内側に形成されている請求項１〜５のいずれか１項に記載のダンパ開閉装置。
【請求項７】
前記内筒を周方向に等間隔に分割する位置に複数の軸受部を配置し、各軸受部を直線状に繋ぐ弦を回動中心軸として前記各ダンパを揺動させる請求項６に記載のダンパ開閉装置。
【請求項８】
前記内筒は、前記外筒に対して周方向に回動し、前記角度制御手段は、前記内筒の回動に連動させて前記ダンパの前記傾斜角度を調整する請求項１〜７のいずれか１項に記載のダンパ開閉装置。
【請求項９】
前記角度制御手段は、前記ダンパの外側面に突設させた突起部と、前記外筒の内周面に形成され前記内筒の回動に連動して前記突起部を前記軸方向に移動させるガイド溝とからなる請求項８記載のダンパ開閉装置。
【請求項１０】
前記角度制御手段は、前記ダンパの外側面に突設させたピニオンと、前記外筒の内周面に形成され前記ピニオンに噛合するラックとからなる請求項８記載のダンパ開閉装置。
【請求項１１】
更に、前記外筒、前記内筒及び前記ダンパ群からなる本体部を一体的に回転自在に収容する筒状のリテーナと、前記リテーナに固定され前記リテーナの軸中心に位置して前記本体部を回動自在に支持する連結支持部とを有する請求項１〜１０のいずれか１項に記載のダンパ開閉装置。
【請求項１２】
前記内筒に固定され、前記内筒の軸中心に位置して前記連結支持部に回動自在に支持される本体支持部を有する請求項１１記載のダンパ開閉装置。
【請求項１３】
前記連結支持部は、前記リテーナから径方向内側に延びる第１リブに連結されることで前記リテーナに固定されており、前記本体支持部は、前記内筒から径方向内側に延びる第２リブに連結されることで前記内筒に固定されている請求項１２記載のダンパ開閉装置。
【請求項１４】
前記ダンパの前記内周縁部は、前記ダンパの前記外周縁部よりも下流側に配置されているとともに、前記連結支持部は、前記ダンパよりも上流側に配置されている請求項１１〜１３のいずれか１項に記載のダンパ開閉装置。
【請求項１５】
前記連結支持部及び前記本体支持部の一方は、先端にボール部をもち、前記連結支持部及び前記本体支持部の他方は、前記ボール部を回動自在に摺動させる摺動部をもつ請求項１１〜１４のいずれか１項に記載のダンパ開閉装置。
【発明の詳細な説明】
【技術分野】
【０００１】
本発明は、流体通路を流通する流体の流量を調整するダンパ開閉装置に関する。
【背景技術】
【０００２】
従来、ダンパ開閉装置としては、特許文献１に開示されたものがある。図２７は、特許文献１のダンパ開閉装置の分解斜視図に対応する図面である。図２７に示すように、ダンパ開閉装置は、内側に流体通路９２５を有するハウジング９１２と、流体通路９２５内に進退可能に支持され、ラック部９４４及び操作部９４６を備えた操作体９１４と、ルーバ９１８と、を備えている。ルーバ９１８は、ラック部９４４に噛合するピニオン部９５７を設け、互いに放射状にハウジング９１２に回動自在に支持される。
【０００３】
この構成では、操作部９４８を用いて操作体９１４を進退させることにより、ピニオン部９５７を設けたルーバ軸部９５２を中心として、ルーバ９１８が回動する。
【先行技術文献】
【特許文献】
【０００４】
【特許文献１】特開２００２−１６８５１１号公報
【特許文献２】特開２００２−１３７６２８号公報
【特許文献３】特開平７−１８０９００号公報
【特許文献４】実開平５−２７５４５号公報
【発明の概要】
【発明が解決しようとする課題】
【０００５】
しかしながら、上記特許文献１では、ラック部９４４及び操作部９４６が、流体通路９２５の軸中心に集中している。更に、操作体９１４を囲むように、流体通路９２５の中心部に、案内体９１５及び整流部９２７が配設されている。このため、流体通路を流通する流体の圧力損失が大きく、十分な風量を吹き出すことが困難であった。
【０００６】
また、特許文献２〜４においても、操作部を流体通路の中心に配置して、操作部を操作することで、ルーバを開閉する構成が開示されている。
【０００７】
本発明はかかる事情に鑑みてなされたものであり、流体通路を流通する流体の圧力損失を低くすることができるダンパ開閉装置を提供することを課題とする。
【課題を解決するための手段】
【０００８】
（１）本発明のダンパ開閉装置は、外筒と、該外筒の内側に配置されて該外筒に対して可動自在に支持されるとともに内部に流体通路を有する内筒と、前記流体通路に開閉自在に配置された複数のダンパからなるダンパ群とを備えるダンパ開閉装置であって、複数の前記ダンパは、前記流体通路の周方向に配列させ、内周縁部を互いに対向させて前記流体通路に配置されており、前記各ダンパを前記内筒に揺動自在に支持させ、前記ダンパを前記内筒に対して揺動させることにより前記流体通路の軸方向に対する前記ダンパの傾斜角度を変えて前記流体通路を流通する流体の流通量を調整し、更に、前記外筒に対する前記内筒の移動に連動させて、前記ダンパの前記傾斜角度を制御する角度制御手段を備えることを特徴とする。
【０００９】
上記構成では、内筒の移動に連動してダンパが傾斜角度を変えて、流体通路を開閉する。このため、流体通路の中心に操作部などの部材を配置させる必要がない。ダンパが開位置に位置するときに、流体通路の中央部の流体が吹き抜けやすくなり、流体通路での流体の圧力損失を低くすることができる。
【００１０】
（２）前記各ダンパは、前記傾斜角度が最大となる閉位置にあるときに、前記ダンパの外周縁部と前記内筒との間を閉じるとともに、前記ダンパの内周縁部と他の前記ダンパの内周縁部との間を閉じ、前記各ダンパは、前記閉位置での最大の前記傾斜角度から該傾斜角度を減少させることで、前記ダンパの外周縁部と前記内筒との間を開くとともに、前記ダンパの内周縁部と他の前記ダンパの内周縁部との間を開くことが好ましい。
【００１１】
上記構成では、ダンパが閉位置にあるときには、ダンパの外周縁部と内筒との間、及びダンパの内周縁部と他のダンパの内周縁部との間を閉じる。このため、流体通路の流体の流通を停止させることができる。また、ダンパが閉位置から傾斜角度を変化させることで、ダンパの外周縁部と内筒との間、及びダンパの内周縁部と他のダンパの内周縁部との間を開ける。これにより、流体通路の流体を流通させることができる。
【００１２】
（３）前記流体通路の上流側に前記ダンパの前記内周縁部を配置し、前記流体通路の下流側に前記ダンパの前記外周縁部を配置していることが好ましい。
【００１３】
ダンパが閉位置にあるときに、ダンパの内周縁部が外周縁部よりも流体通路の上流側に配置される。このため、流体通路の下流側の吹出し口からダンパが視認されにくく、ダンパ開閉装置の外観がよくなる。
【００１４】
（４）前記ダンパは、前記ダンパの下流側に配置した前記外周縁部の開口面積を、前記ダンパの上流側に配置した前記内周縁部の開口面積よりも大きくする拡散吹付位置をもつことが好ましい。
【００１５】
流体が流体通路の上流側から下流側に流通する際に、流体は、ダンパの上流側に配置した内周縁部の開口から、ダンパの下流側に配置した外周縁部の開口に向けて拡散する。このため、流体通路の吹出し口から拡散風を吹出すことができる。
【００１６】
（５）前記ダンパは、前記ダンパの下流側に配置した前記外周縁部の開口面積を、前記ダンパの上流側に配置した前記内周縁部の開口面積よりも小さくする集中吹付位置をもつことが好ましい。
【００１７】
流体が流体通路の上流側から下流側に流通する際に、流体は、ダンパの上流側に配置した内周縁部の開口から、ダンパの下流側に配置した外周縁部の開口に向けて集中する。このため、流体通路の吹出し口から集中風を吹き出すことができる。
【００１８】
（６）前記内筒は、内周面側に設けられ周方向に離隔した位置に配置された複数組の一対の軸受部をもち、前記各ダンパは、前記内筒の各一対の前記軸受部に軸支された一対の支持部をもち、前記各ダンパの前記外周縁部は一対の前記支持部の間であって前記支持部よりも径方向外側に形成され、前記各ダンパの前記内周縁部は、一対の該支持部の間であって前記支持部よりも径方向内側に形成されていることが好ましい。
【００１９】
この場合には、ダンパが内筒に揺動自在に支持され、ダンパの揺動により流体通路を自在に開閉することができる。
【００２０】
（７）前記内筒を周方向に等間隔に分割する位置に複数の軸受部を配置し、各軸受部を直線状に繋ぐ弦を回動中心軸として前記各ダンパを揺動させることが好ましい。この場合には、簡素な構成のダンパで円滑に、流体通路全体を開閉させることができる。
【００２１】
（８）前記内筒は、前記外筒に対して周方向に回動し、前記角度制御手段は、前記内筒の回動に連動させて前記ダンパの前記傾斜角度を調整することが好ましい。外筒に対して内筒を回動させることでダンパの傾斜角度を変えて、流体通路の開閉を行うことができる。
【００２２】
（９）前記角度制御手段は、前記ダンパの外側面に突設させた突起部と、前記外筒の内周面に形成され前記内筒の回動に連動して前記突起部を前記軸方向に移動させるガイド溝とからなることが好ましい。
【００２３】
内筒が外筒に対して回動すると、外筒に形成したガイド溝に沿ってダンパの突起部が流体通路の軸方向に移動する。これにより、軸方向に対するダンパの傾斜角度が変わり、流体通路を開閉させることができる。
【００２４】
ここで、ガイド溝は、螺旋形状に形成されていることが好ましい。外筒の内筒に対する相対的な回動を、内筒に支持されたダンパの軸方向の移動に変化させることができる。
【００２５】
各ダンパの外側面には、複数の突起部が突設しており、外筒の内周面であって複数の該突起部に対向する位置に複数のガイド溝が形成されていることが好ましい。この場合には、各ガイド溝の長さが短くても、いずれかの突起部がガイド溝にガイドされることで、突起部の全体の移動距離を増やすことができる。
【００２６】
（１０）前記角度制御手段は、前記ダンパの外側面に突設させたピニオンと、前記外筒の内周面に形成され前記ピニオンに噛合するラックとからなることが好ましい。
【００２７】
外筒の内周面に形成したラックと、ダンパの外側面に突設させたピニオンとが互いに噛合することで、内筒に対する外筒の相対移動量に応じてダンパの傾斜角度を正確に変化させることができる。
【００２８】
（１１）更に、前記外筒、前記内筒及び前記ダンパ群からなる本体部を一体的に回転自在に収容する筒状のリテーナと、前記リテーナに固定され前記リテーナの軸中心に位置して前記本体部を回動自在に支持する連結支持部とを有することが好ましい。
上記構成によれば、ダンパ開閉装置の本体部は、リテーナに対して連結支持部を中心に自在に回動することができる。リテーナの回動により、ダンパ群をリテーナに対して回動させることができる。
【００２９】
（１２）前記内筒に固定され、前記内筒の軸中心に位置して前記連結支持部に回動自在に支持される本体支持部を有することが好ましい。内筒には、ダンパが揺動可能に支持されている。このため、連結支持部に回動自在に本体支持部を支持することにより内筒がリテーナに対して回動される。内筒の回動により、ダンパ群をリテーナに対して回動させることができる。
【００３０】
（１３）前記連結支持部は、前記リテーナから径方向内側に延びる第１リブに連結されることで前記リテーナに固定されており、前記本体支持部は、前記内筒から径方向内側に延びる第２リブに連結されることで前記内筒に固定されていることが好ましい。
連結支持部及び本体支持部は、内筒の内部に形成された流体通路に位置する。連結支持部は、リテーナとの間を第１リブで連結し、本体支持部は内筒との間を第２リブで連結する。これにより、流体通路の径方向断面の開口領域を広くすることができ、流体の圧力損失を防止することができる。
【００３１】
（１４）前記ダンパの前記内周縁部は、前記ダンパの前記外周縁部よりも下流側に配置されているとともに、前記連結支持部は、前記ダンパよりも上流側に配置されていることが好ましい。下流側の吹出し口から手が挿入されたとき、揺動するダンパと内筒との間に手が挟まれることを防止して、ダンパの開閉を妨げることを防止できる。
【００３２】
（１５）前記連結支持部及び前記本体支持部の一方は、先端にボール部をもち、前記連結支持部及び前記本体支持部の他方は、前記ボール部を回動自在に摺動させる摺動部をもつことが好ましい。ボール部に対して摺動部を摺動させることにより、リテーナに対して内筒が回動する。内筒に保持されているダンパ群、及び内筒を保持している外筒を、全方位自在に且つ円滑に回動傾動させることができる。
【発明の効果】
【００３３】
本発明のダンパ開閉装置によれば、ダンパを内筒に揺動自在に支持し、内筒を外筒に対して移動させることで、その移動に連動してダンパの傾斜角度を変えて流体通路を開閉している。このため、流体通路を流通する流体の圧力損失を低くすることができる。
【図面の簡単な説明】
【００３４】
【図１】実施形態１の自動車のインストルメントパネルの吹出し口周辺の平面図である。
【図２】図１のＡ−Ａ矢視断面図である。
【図３】図１のＢ−Ｂ矢視断面図である。
【図４】実施形態１のダンパ開閉装置の分解斜視図である。
【図５】実施形態１のダンパを支持した内筒、及び外筒の斜視図である。
【図６】実施形態１のダンパの突起部と外筒との位置関係を示す説明図である。
【図７】ダンパの揺動中心を示すための流体通路の断面説明図である。
【図８】図８の上図は、ダンパが全開位置にあるときのダンパ開閉装置の平面図であり、図８の中図は、図８の上図のＣ−Ｃ矢視断面図であり、図８の下図は、図８の上図のＣ−Ｃ矢視断面斜視図である。
【図９】図９の上図は、ダンパが集中吹付け位置にあるときのダンパ開閉装置の平面図であり、図９の中図は、図９の上図のＣ−Ｃ矢視断面図であり、図９の下図は、図９の上図のＣ−Ｃ矢視断面斜視図である。
【図１０】図１０の上図は、ダンパが拡散吹付け位置にあるときのダンパ開閉装置の平面図であり、図１０の中図は、図１０の上図のＣ−Ｃ矢視断面図であり、図１０の下図は、図１０の上図のＣ−Ｃ矢視断面斜視図である。
【図１１】図１１の上図は、ダンパが閉位置にあるときのダンパ開閉装置の平面図であり、図１１の中図は、図１１の上図のＣ−Ｃ矢視断面図であり、図１１の下図は、図１１の上図のＤ−Ｄ矢視断面斜視図である。
【図１２】実施形態１の流体通路の開口面積を示すためのダンパ開閉装置の径方向断面図であり、左上図、右上図、左下図、右下図の順に、ダンパが全開位置、集中吹付け位置、拡散吹付け位置、閉位置にあるときの状態を示す。
【図１３】実施形態２のダンパ開閉装置の平面図である。
【図１４】実施形態２のダンパ開閉装置の分解斜視図である。
【図１５】実施形態３のダンパを支持した内筒、及び外筒の斜視図である。
【図１６】実施形態３のダンパ開閉装置の断面図である。
【図１７】実施形態４のダンパ開閉装置の第１リテーナ部材、本体部、第２リテーナ部材の斜視図である。
【図１８】実施形態４のダンパ開閉装置の本体部の分解斜視図である。
【図１９】実施形態４のダンパ開閉装置の断面図である。
【図２０】連結支持部の断面図である。
【図２１】実施形態４のダンパ開閉装置の本体部の斜視図である。
【図２２】内筒及び外筒の断面図である。
【図２３】図２３の左図は、外筒の斜視図であり、図２３の中図は操作部及びダンパ群を組み付けた内筒の斜視図であり、図２３の右図はダンパの斜視図である。
【図２４】図２３の中図のＸ−Ｘ矢視断面図である。
【図２５】ダンパが閉位置にあるときの図２４のＹ−Ｙ矢視断面図である。
【図２６】図２６は各種第２リブの断面図であって、図２６（ａ）は、細長い四角形をなし斜面をもつ第２リブであり、図２６（ｂ）は三角形状の断面をもつ第２のリブであり、図２６（ｃ）はダンパ本体の直線部に段部を形成した場合を示し、図２６（ｄ）は菱形形状の断面をもつ第２リブを示す。
【図２７】従来例のダンパ開閉装置の断面図である。
【発明を実施するための形態】
【００３５】
（実施形態１）
本実施形態１に係るダンパ開閉装置について図面を用いて説明する。
【００３６】
図１は、自動車のインストルメントパネル８の吹出し口８０周辺の平面図である。図１に示すように、本実施形態１のダンパ開閉装置１０は、自動車のインストルメントパネル８の吹出し口８０に設けられている。ダンパ開閉装置１０は、外筒１と、内筒２と、複数のダンパ３で構成されたダンパ群３０と、操作部５とからなる本体部２５、及び本体部２５を内部に回動可能に保持するリテーナ６を備えている。
【００３７】
図２は、図１のＡ−Ａ矢視断面図であり、図３は、図１のＢ−Ｂ矢視断面図である。図４は、ダンパ開閉装置１０の分解斜視図である。図２に示すように、インストルメントパネル８には、空調空気の吹出し口８０が開口している。吹出し口８０周縁には、リテーナ６が固定されている。リテーナ６の内面側には、シム６１が配設されている。シム６１の上流側端部は、リテーナ６に形成された係合溝６２に係合されている。シム６１の下流側は、リテーナ６の内面との間に微小空間６０を形成している。シム６１の下流側端部は、リテーナ６の下流側端部から径方向内側に屈曲されて形成された係合爪６３の外側面に係合されている。これにより、シム６１はその下流側を微小空間６０側に弾性変形可能にリテーナ６に固定されている。
【００３８】
図２、図３に示すように、シム６１の内面は、球面形状を呈しており、ダンパ開閉装置１０の本体部２５を方向自在に回動するように保持している。ダンパ開閉装置１０の外筒１は、上流側に配置された第１部材１１と、第１部材１１よりも吹出し口８０に近い下流側に配置された第２部材１２とから構成されている。
【００３９】
図４に示すように、第１部材１１の下流側周縁部１１ｂの３箇所に、係合突起１５が突出され、第２部材１２の上流側周縁部１２ａの３箇所に係合凹部１６が形成されている。係合突起１５は係合凹部１６に係合されている。これにより、第１部材１１と第２部材１２とが互いに一体的に固定されている。第１部材１１と第２部材１２とは、円筒形状であって、これらの内部空間は互いに同一中心軸をもつ。
【００４０】
第１部材１１の外周面と第２部材１２の外周面は、連続して球面を形成して、球面形状の内面に方向自在に回動傾動可能に保持されている。図２に示すように、第１部材１１の外周面には、突部１１ｄが形成されている。突部１１ｄは、シム６１の周方向の一部を切り欠いた窓部からリテーナ６に突出させている。突部１１ｄは、リテーナ６に形成されたガイド部６４に沿って移動することで、ダンパ開閉装置１０の本体部２５を方向自在に支持している。突部１１ｄは、ガイド部６４の両端に設けられた係合溝６２と係合爪６３とで移動が規制されることで、リテーナ６の軸方向に対するダンパ開閉装置１０の本体部２５の傾きが規制される。
【００４１】
図５は、ダンパ３を支持した内筒２、及び外筒１の斜視図である。図６は、ダンパ３の半円部３５と外筒１との位置関係を示す説明図である。図５、図６に示すように、外筒１の第１部材１１の内周面には、第１、第２ガイド溝１３、１４が凹設されている。第１、第２ガイド溝１３、１４は、いずれも互いに平行な螺旋形状であり、周方向右側に対して下流側に向かって傾斜している。２つの第１、第２ガイド溝１３、１４を１組としたとき、第１部材１１の内周面には周方向に等間隔に３組の第１、第２ガイド溝１３、１４が形成されている。
【００４２】
第１ガイド溝１３は、第２ガイド溝１４よりも上流側に位置している。第１ガイド溝１３の上流側端部１３ａは、第１部材１１の上流側周縁部１１ａに位置している。第１ガイド溝１３の下流側端部１３ｂは、第１部材１１の内周面の中間部分に位置している。第２ガイド溝１４の上流側端部１４ａは、第１部材１１の内周面の中間部分に位置しており、第２ガイド溝１４の下流側端部１４ｂは、第１部材１１の下流側周縁部１１ｂに位置している。第１ガイド溝１３の下流側部分は、第２ガイド溝１４の上流側部分と周方向で互いに重なっている。
【００４３】
図４に示すように、内筒２は、外筒１と同一軸線をもつ円筒形状を呈している。内筒２の軸方向の中央部分には、径方向外側に突出するフランジ部２２が形成されている。フランジ部２２は、第１部材１１の下流側部分で径方向内側に分枝したリング状の保持片１７と、第２部材１２の内周面の上流側部分で周方向に突設された複数のリブ１８との間で挟持されている。フランジ部２２がこのように第１部材１１と第２部材１２との間で挟持されることで、内筒２は、外筒１に対して周方向に回動自在に保持される。
【００４４】
内筒２には、径方向内側に三角形状に突出する凸部２１が形成されている。凸部２１は、内筒２の周方向に１２０°間隔で３箇所に形成されている。各凸部２１は、頂部を挟んで互いに連結する一対の斜面２１ａを有する。各斜面２１ａには、それぞれ軸受部２１ｂとしての孔が形成されている。
【００４５】
内筒２のフランジ部２２における凸部２１近傍には、径方向外側に突出する幅広部２３が形成されている。幅広部２３は、外筒１の第１部材１１の下流側端部１１ｂに突出した複数の係合突起１５のうちの互いに隣合う係合突起１５の間で回動自在である。隣り合う係合突起１５は、幅広部２３の回動軌跡の両端に位置して、幅広部２３の端部に当接したとき幅広部２３の回動を規制する。幅広部２３が隣り合う係合突起１５の間で回動することで、内筒２の外筒１に対する回動可能角度を規定している。本実施形態では、外筒１に対する内筒２の回動可能角度は６５°である。
【００４６】
内筒２の上流側部分には、スリット２４が形成されている。スリット２４は内筒２の軸方向に延びており、その一端は上流側周縁部に開口し、その他端は内筒２の軸方向の略中央部分に位置している。スリット２４は、内筒２の周方向に１２０°間隔で３箇所に形成されている。スリット２４は、内筒２の周方向で互いに隣合う２つの凸部２１の間に形成されている。
【００４７】
操作部５は、流体通路７の軸線方向に延びる略三角枠状の薄板から構成されていて、内部には流体の流通が可能な空間５０が形成されている。三角枠形状の操作部５の各頂点は、内筒２の下流側の内周面に一体に固定されている。
【００４８】
ダンパ群３０は、内筒２の内部に形成された流体通路７に配置されている。ダンパ群３０は、３つのダンパ３から構成されている。各ダンパ３は、内筒２に対して揺動可能に支持されている。ダンパ３は、内筒２に対して揺動することにより流体通路７の軸方向に対する傾斜角度が調整される。
【００４９】
３つのダンパ３は、互いに同じ構造をもつ。各ダンパ３は、略扇形状を呈するダンパ本体３１と、ダンパ本体３１の周方向両端に設けられた一対の支持部３２と、ダンパ本体３１の外側面に設けられた第１、第２突起部３３，３４とを有する。支持部３２は、ダンパ本体３１から内側に折り返された折り返し部３２ａと、折り返し部３２ａの外側面に突出する軸部３２ｂとを有する。軸部３２ｂは、内筒２の凸部２１の斜面２１ａに形成した軸受部２１ｂに回動自在に嵌合されている。軸部３２ｂが軸受部２１ｂに回動自在に嵌合されることで、ダンパ３は内筒２に対して揺動自在に保持される。
【００５０】
図７は、ダンパの揺動中心位置を示すための説明図である。図７に示すように、内筒２を周方向に等間隔に分割する位置に複数の軸受部２１ｂを配置している。隣合う各軸受部２１ｂを直線状に繋ぐ弦２０を回動中心軸として、各ダンパ３は内筒２に対して揺動される。ダンパ３は、内筒２に対して揺動することで、流体通路７の軸方向に対する傾斜角度が変更され、流体通路７を流通する空調空気の量が調整される。
【００５１】
図４に示すように、ダンパ本体３１は、軸方向に対して所定角度に揺動自在に配置されている。ダンパ本体３１の内側面は流体通路７の径方向内側を向き、ダンパ本体３１の外側面は流体通路７の径方向外側を向いている。そして、ダンパ本体３１の全体形状は、軸方向の両端から軸方向の中央部に向かって、径方向外側に緩やかに湾曲している。
【００５２】
ダンパ本体３１は、一対の支持部３２の間であって支持部３２よりも外側に形成された外周縁部３１ａと、一対の支持部３２の間であって支持部３２よりも内側に形成された内側縁部３１ｂとで囲まれている。
【００５３】
ダンパ本体３１の外周縁部３１ａは、円弧形状を呈している。ダンパ本体３１の外周縁部３１ａは、ダンパ3の下流側に位置していて、内筒２の内周面に対面している。後述の図１１の下図に示すように、ダンパ３が閉位置にあるとき、ダンパ本体３１の外周縁部３１ａは、内筒２の内周面に傾斜して接するため、内筒２の内周面よりも緩やかな円弧を描いている。流体通路７の軸方向に対するダンパ本体３１の傾斜角度が変化することで、ダンパ本体３１の外周縁部３１ａは、内筒２との間を開閉する。
【００５４】
図４、図５に示すように、ダンパ本体３１の内周縁部３１ｂは、ダンパ３の上流側に位置していて、他のダンパ３のダンパ本体３１の内周縁部３１ｂと互いに対向している。ダンパ本体３１の内周縁部３１ｂは、両端部の各支持部３２から直線状に延びる一対の直線部３１ｃと、一対の直線部３１ｃが互いに交わる頂部３１ｄとから構成されている。流体通路７の軸方向に対するダンパ本体３１の傾斜角度が変化することで、隣り合う他のダンパ３との間を開閉する。ここで、傾斜角度とは、図２、及び後述の図８に示すように、本体３１の外周縁部３１ａの中心部３１ｆと、ダンパ本体３１の内周縁部３１ｂの中心部である頂部３１ｄとを繋ぐ直線Ｌ１が、流体通路７の中心軸線Ｌ２との間に形成する角度である。
【００５５】
ダンパ本体３１の外側面には、略半円板形状をなす半円部３５が突出している。半円部３５の円弧状の縁部３５ａの両端は、流体通路７の軸方向の上流側及び下流側に配置されている。半円部３５の縁部３５ａには、第１突起部３３と第２突起部３４が、半円部３５の径方向外側に向かって突設している。第１突起部３３は、第２突起部３４よりも流体通路７の軸方向の上流側に位置している。
【００５６】
図５に示すように、ダンパ３の半円部３５は、内筒２のスリット２４を貫挿されている。図６に示すように、ダンパ３の半円部３５に突設された第１、第２突起部３３，３４は、それぞれ外筒１の第１、第２ガイド溝１３、１４に嵌合されている。第１、第２突起部３３，３４は、それぞれ第１、第２ガイド溝１３、１４の中を移動することができる。内筒２に対して外筒１を相対回転移動させると、内筒２に保持されたダンパ３の第１、第２突起部３３，３４は、それぞれ外筒１の第１、第２ガイド溝１３、１４に沿って移動する。
【００５７】
図４、図６に示すように、第１、第２ガイド溝１３、１４は、互いに略平行に延びる螺旋形状を呈している。外筒１の周方向の回転移動により第１、第２ガイド溝１３、１４の中を第１、第２突起部３３，３４が移動すると、第１、第２突起部３３，３４の軸方向の位置が変わる。ダンパ３の軸部３２ｂに対する第１、第２突起部３３，３４の軸方向の位置が変わるため、ダンパ３が軸部３２ｂを中心にして揺動する。第１、第２突起部３３，３４が上流側に移動されると、ダンパ本体３１の内周縁部３１ｂは径方向外側に移動され、ダンパ本体３１の外周縁部３１ａは径方向内側に移動される。第１、第２突起部３３，３４が下流側に移動されると、ダンパ本体３１の内周縁部３１ｂは径方向内側に移動され、ダンパ本体３１の外周縁部３１ａは径方向外側に移動される。このように、第１、第２ガイド溝１３、１４は、内筒２の回動に連動して第１、第２突起部３３，３４を軸方向に移動させる。第１、第２突起部３３，３４、第１、第２ガイド溝１３、１４は、外筒１に対する内筒２の移動に連動させて、ダンパ３の傾斜角度を制御する角度制御手段を構成している。
【００５８】
図６に示すように、内筒２が外筒１に対する回転許容角度の中間に位置しているときには、第１、第２突起部３３，３４は、第１、第２ガイド溝１３、１４に嵌合されている。内筒２が外筒１に対する回転許容角度の両端に位置しているときには、第１、第２突起部３３，３４の一方が、第１、第２ガイド溝１３、１４の一方から脱離し、第１、第２突起部３３，３４の他方のみが、第１、第２ガイド溝１３、１４の他方に嵌合することで、外筒１に対する半円部３５の位置を制御している。２つの第１，第２突起部３３，３４と２つの第１、第２ガイド溝１３，１４とを用いることにより、各ガイド溝の長さが短くても、突起部のガイド可能な長さを大きくすることができる。
【００５９】
ダンパ開閉装置の作動を説明する。図８は、ダンパ３が全開位置にあるときのダンパ開閉装置を示し、図９は、ダンパ３が集中吹付け位置にあるときのダンパ開閉装置を示し、図１０は、ダンパ３が拡散吹付け位置にあるときのダンパ開閉装置を示し、図１１は、ダンパ３が閉位置にあるときのダンパ開閉装置を示す。図８〜図１１において、それぞれ上図は、ダンパ開閉装置の平面図であり、中図は、上図のＣ−Ｃ矢視断面図であり、下図は、上図のＣ―Ｃ矢視断面斜視図である。ただし、図１１の下図は、上図のＤ−Ｄ矢視断面斜視図である。図１２は、流体通路７の開口面積を示すためのダンパ開閉装置の径方向断面図であり、左上図、右上図、左下図、右下図の順に、ダンパ３が全開位置、集中吹付け位置、拡散吹付け位置、閉位置にあるときの状態を示す。図１２の中のドット部分は、ダンパ開閉装置を軸線方向に投影したときの開口領域を示す。
【００６０】
図８に示すように、操作部５が基本位置Ｉに設定されているとき、ダンパ本体３１が、流体通路７の軸方向と略平行に向く。ダンパ本体３１の外周縁部３１ａは、内筒２の内周面から離間し、ダンパ本体３１の内周縁部３１ｂは、他のダンパ３のダンパ本体３１の内周縁部３１ｂから離間する。ダンパ本体３１の外周縁部３１ａは、内周縁部３１ｂと同程度に、流体通路７の中心軸線から離間する。外周縁部３１ａの下端部である中心部３１ｆは、内周縁部３１ｂの上端部である頂部３１ｄに対して、流体通路７の径方向の位置を同程度としている。このとき、図１２の左上図に示すように、流体通路７を軸方向から投影したとき流体通路７の上流側から下流側まで貫通して開口している開口領域７１の開口面積が最大となり、ダンパ３は全開位置に位置される。空調空気７０は、流体通路７の軸線方向の下流側に流れ、吹出し口８０から軸線方向とほぼ平行に吹出す。
【００６１】
図９に示すように、操作部５を基本位置Ｉから図９紙面上で左周り方向に２５°離れた第２位置ＩＩに回転させる。操作部５を固定している内筒２、及び内筒２に保持されているダンパ３の第１、第２突起部３３，３４は、外筒１に対して左周り方向に２５°回転される。ダンパ３の半円部３５は、図６の位置Ａから位置Ｂに移動される。半円部３５から突出している第１、第２突起部３３，３４は、外筒１の第１、第２ガイド溝１３、１４にガイドされて、左周り方向で且つ上流側に移動する。図９に示すように、ダンパ本体３１の上流側の内周縁部３１ｂを径方向外側に開き、下流側の外周縁部３１ａを径方向内側に移動される。外周縁部３１ａは、内周縁部３１ｂよりも径方向内側に移動される。ダンパ３の下流側に配置した外周縁部３１ａの下端部である中心部３１ｆを、ダンパ３の上流側に配置した内周縁部３１ｂの上端部である頂部３１ｄよりも、径方向内側に位置させる。このとき、図１２の右上図に示すように、流体通路７の開口領域７１の開口面積は全開位置にあるときよりも狭くなる。空調空気７０は、下流側に向けて流体通路７の中心軸線近傍に集中して、集中風が吹出し口８０から放出される。
【００６２】
図１０に示すように、操作部５を基本位置Ｉから図１０紙面上で右周り方向に１０〜３０°程度離れた第３位置ＩＩＩに回転させる。操作部５の回転により、内筒２及び第１、第２突起部３３，３４は、外筒１に対して右周り方向に１０〜３０°程度回転される。ダンパ３の半円部３５は、図６の位置Ａから位置Ｃに移動される。第１、第２突起部３３，３４は、外筒１の第１、第２ガイド溝１３、１４にガイドされて、右周り方向で且つ下流側に移動する。図１０に示すように、ダンパ本体３１の上流側の内周縁部３１ｂは径方向内側に移動され、下流側の外周縁部３１ａは径方向外側に広がる。外周縁部３１ａは、内周縁部３１ｂよりも径方向外側に移動される。ダンパ３の下流側に配置した外周縁部３１ａの下端部である中心部３１ｆを、ダンパ３の上流側に配置した内周縁部３１ｂの上端部である頂部３１ｄよりも、径方向外側に位置させる。このとき、図１２の左下図に示すように、流体通路７の開口領域７１の開口面積は全開位置にあるときよりも狭くなる。空調空気７０は、下流側に向けて流体通路７の径方向外側に拡散して、拡散風が吹出し口８０から放出される。
【００６３】
図１１に示すように、操作部５を基本位置Ｉから図１１紙面上で右周り方向に４０°程度離れた第４位置ＩＶに回転させる。操作部５の回転により、内筒２及び第１、第２突起部３３，３４は、外筒１に対して右周り方向に４０°程度回転される。図６の位置Ａから位置Ｄに移動される。第１、第２突起部３３，３４は、外筒１の第１、第２ガイド溝１３、１４にガイドされて、右周り方向で且つ下流側に移動する。図１１に示すように、ダンパ本体３１の上流側の内周縁部３１ｂは径方向内側に移動され、３つのダンパ３の内周縁部３１ｂは互いに接する。３つのダンパ３の内周縁部３１ｂの頂点３１ｄが、流体通路７の中心軸線上で集まり、隣合うダンパ３の直線部３１ｃ同士が接する。頂点３１ｄを中心として３つのダンパ３が放射状に配置され、流体通路７を塞ぐ。ダンパ本体３１の下流側の外周縁部３１ａは径方向外側に広がり、内筒２の内周面に接する。このとき、図１２の右下図に示すように、流体通路７の開口領域の面積はゼロである。空調空気７０の吹出しは停止される。
【００６４】
本実施形態においては、外筒１に対して内筒２を移動させることにより、内筒２の移動に連動してダンパ３が傾斜角度を変えて、流体通路７を開閉する。このため、操作部５を流体通路７の中心に配置させる必要がない。ダンパ３が全開位置に位置するときに、流体通路７の中央部の流体が吹き抜けやすくなり、流体通路７を流通する空調空気７０の圧力損失を低くすることができる。
【００６５】
ダンパ３が全開位置にあるときに、各ダンパ本体３１の内周縁部３１ｂを他のダンパ本体３１の内周縁部３１ｂから離間させる。また、各ダンパ本体３１の外周縁部３１ａを内筒２の内周面から離間させている。これにより、流体通路７を軸方向から投影したときの開口領域の面積が最大としている。このため、空調空気７０の流通量を多くすることができる。
【００６６】
ダンパ３が閉位置にあるときには、ダンパ群３０の各ダンパ３の内周縁部３１ｂ同士が近接して流体通路７を塞ぐ。また、各ダンパ３の外周縁部３１ａは、内筒２の内周面に近接して各ダンパ３と内筒２の内周面との間を塞ぐ。このため、流体通路７の全体が塞がれて、空調空気の流通を停止させることができる。
【００６７】
ダンパ３が閉位置にあるときに、ダンパ本体３１の内周縁部３１ｂが流体通路７の上流側に配置される。このため、流体通路７の下流側の吹出し口８０からダンパ本体３１が視認されにくい。ダンパ開閉装置１０の外観がよくなる。
【００６８】
ダンパ３が全開位置にあるときに、操作部５が流体通路７の開口領域７１に位置することになり、流体は操作部５を通って下流側に吹き出す。このため、操作部５によって風向きを整流することができる。また、操作部５は、風通りの集中しやすい流体通路７の中心部を避けて配置されている。このため、圧力損失を防ぐことができる。
【００６９】
（実施形態２）
図１３、図１４に示すように、操作部５の中央には、3本の整流フィン５１が放射状に配設されている。また、各ダンパ３のダンパ本体３１の内側面からは、円弧状のフィン部３８が流体通路７の中心軸方向に向かって突出している。操作部５の整流フィン５１とダンパ３のフィン部３８とは、下流側の吹出し口８０からみたときに、周方向に交互に等間隔に配置されている。整流フィン５１及びフィン部３８は、薄板状であり、軸方向に沿って配置されている。流体通路７を流通する空調空気７０は、整流フィン５１及びフィン部３８によって整流されて、吹出し口８０から噴出される。このため、空調空気の整流効果が高い。
【００７０】
（実施形態３）
実施形態３では、図１５、図１６に示すように、ダンパ本体３１の外側面に半円部３５が突出している。半円部３５の外周縁には、はすば歯車からなるピニオン３９が形成されている。半円部３５は、内筒２に形成されたスリット２４に嵌挿されている。外筒１の内周面には、その周方向全体にわたって連続して、内歯車からなるラック１９が形成されている。ダンパ３のピニオン３９は、外筒１のラック１９に噛合している。操作部５の操作により内筒２が回転すると、ダンパ３のピニオン３９は、ラック１９の歯溝に沿って、軸方向に移動される。ダンパ３は、ピニオン３９の軸方向の移動により支持部３２を揺動中心にして揺動し、流体通路７を開閉する。ピニオン３９とラック１９は、ダンパ３の傾斜角度を制御する角度制御手段を構成している。操作部５、内筒２、外筒１、及びダンパ３の動きは、実施形態１と同様である。
【００７１】
本実施形態では、ダンパ３の傾斜角度は、はすば歯車と外筒１の内歯車の噛合により調整される。このため、外筒１の相対移動量に応じてダンパ３の傾斜角度を正確に変化させることができる。
【００７２】
実施形態１〜３では、ダンパ３のダンパ本体３１は、全体が緩やかに湾曲した形状を呈している。これはダンパ３の剛性を高めるためである。ダンパ本体３１の形状はこれに限定されず、例えば、全体が平坦な板形状を呈していても良い。
【００７３】
また、ダンパ群３０は、３つのダンパから構成されたが、ダンパは２つ以上であれば、いくつでもよい。ダンパ本体３１の内周縁部３１ｂは上流側に、外周縁部３１ａは下流側に配置されているが、内周縁部３１ｂは下流側に、外周縁部３１ａは上流側に配置されていてもよい。
【００７４】
実施形態１〜３では、内筒２を外筒１に対して周方向に移動可能としているが、内筒２を外筒１に対して軸方向に移動可能とし、角度制御手段により、軸方向の内筒２の移動に連動してダンパ３の開閉量を調整してもよい。
【００７５】
実施形態１〜３では、内筒２に操作部５を一体に固定しているが、操作部５はなくてもよい。内筒２を直接操作することで内筒２を外筒１に対して移動させてもよい。
【００７６】
実施形態１，２では、半円部３５から突出させた第１、第２突起部３３、３４を外筒１の第１、第２ガイド溝１３、１４に嵌合させるために、内筒２には、半円部３５を挿通させるスリット２４を形成している。しかし、ダンパ３の第１、第２突起部３３、３４の位置に内筒２が配置されていなければ、内筒２にスリットを形成することなく、第１、第２突起部３３、３４を外筒１の第１、第２ガイド溝１３、１４に嵌合させることができる。
【００７７】
実施形態３においても、ダンパ３の半円部のピニオン３９を、外筒１のラック１９に噛合させることができれば、内筒２にスリットを形成しなくてもよい。
【００７８】
実施形態１〜３においては、ダンパ開閉装置１０は、空調空気の流通量を調整する空調用レジスタとして用いているが、その他の流体の流通量を調整するために用いることも可能である。
【００７９】
（実施形態４）
実施形態４は、図１７、図１８に示すように、車両のインストルメントパネルの空調空気の吹き出し口に取り付けられるダンパ開閉装置１０である。ダンパ開閉装置１０は、図１７〜図１９に示すように、外筒１、内筒２及びダンパ群３０からなる本体部２５を一体的に回転傾動自在に収容する筒状のリテーナ６と、リテーナ６に固定されリテーナ６の軸中心に位置して本体部２５を回動傾動自在に支持する連結支持部４１とを有する。
【００８０】
図１７に示すように、リテーナ６は、上流側に配置された第１リテーナ部材６５と、第１リテーナ部材６５の下流側に配置された第２リテーナ部材６６とからなる。第１リテーナ部材６５の下流側周縁部は、第２リテーナ部材６６の上流側周縁部に外嵌されている。第１リテーナ部材６５の下流側周縁部から突出した係合部６５ｃが、第２リテーナ部材６６の外周面から突出する突部６６ｃを嵌合することで、第１、第２リテーナ部材６５，６６を一体化して、リテーナ６を形成している。
【００８１】
第１リテーナ部材６５の上流部６５ａは円筒形状を呈しており、下流部６５ｂは上流部６５ａよりも拡径されている。図１９に示すように、第２リテーナ部材６６の下流部６６ｂは、インストルメントパネル８の吹出し口８０を囲む周縁部８１を内嵌している。図１７に示すように、第２リテーナ部材６６の外周面から突出するフランジ部６６ｄは、図略のインストルメントパネル８の図略の係合部に係合されている。図１９に示すように、第１リテーナ部材６５の下流部６５ｂの内周面と第２リテーナ部材６６の上流部６６ａの内周面とインストルメントパネル８の吹出し口８０の周縁部８１は、互いに連続する球面を形成している。
【００８２】
図１７、図１９に示すように、連結支持部４１は、第１リテーナ部材６５の上流部６５ａに突設されて軸中心に位置している。連結支持部４１は、ボール部４２ａをもつピン４２と、ピン４２を嵌合させる保持穴４３ａをもつ支持部４３とを有する。ピン４２のボール部４２ａは、球面をもち、ピン４２の先端に設けられている。
【００８３】
図２０に示すように、ピン４２の下部は、２つに分枝した挿入部４２ｂをもつ。挿入部４２ｂは、先端が鉤形状に径方向外側に張り出している。挿入部４２ｂを保持穴４３ａに挿入したときに、ピン４２の先端の鉤形状部４２ｃが保持穴４３ａ先端の周縁に係止することで、ピン４２がピン支持部４３に固定される。図１７に示すように、ピン支持部４３は、３方向に放射状に延びる第１リブ４４と一体に連結されている。第１リブ４４が第１リテーナ部材６５の上流部６５ａに一体に固定されることで、ピン支持部４３はリテーナ６の中心軸上に保持されている。
【００８４】
図１７，図１８に示すように、リテーナ６の内部には、ダンパ開閉装置１０の本体部２５を一体に収容している。本体部２５は、外筒１、内筒２、ダンパ群３０、操作部５から構成される。
【００８５】
図１８に示すように、外筒１は、第１部材１１と、第１部材１１よりも下流側であって吹出し口８０の近くに配置された第２部材１２とから構成されている。第１部材１１の下流側周縁部１１ｂの３箇所に、係合突起１１ｃが突出され、第２部材１２の上流側周縁部１２ａの３箇所に係合凹部１２ｃが形成されている。係合突起１１ｃは係合凹部１２ｃに係合されている。これにより、第１部材１１と第２部材１２とが互いに一体的に固定されている。第１部材１１と第２部材１２とは、円筒形状であって、これらの内部空間は互いに同一中心軸をもつ。
【００８６】
図１９に示すように、第１部材１１と第２部材１２の外周面は、リテーナ６の内周面と若干の間隔を隔てて互いに対向している。第１部材１１と第２部材１２の外周面は、リテーナ６の内周面の球面形状と相応する球面形状を呈している。第１部材１１の外周面には、突部１１ｄが突設されている。突部１１ｄは、リテーナ６の内周面との隙間を管理するための当て座である。
【００８７】
図１８に示すように、外筒１の内周面には、螺旋形状のガイド溝１３ｄが凹設されている。ガイド溝１３ｄは、外筒１の内周面に周方向の３カ所に配置されている。図２１に示すように、ガイド溝１３ｄの上流部、下流部は、それぞれ外筒１の第１部材１１、第２部材１２に配置されている。
【００８８】
内筒２は、外筒１と同一軸線をもつ円筒形状を呈している。図２２に示すように、内筒２の上流側端部は径方向内側に突設された座部２９をもち、内筒２のこの座部２９と下流端部とが、それぞれ外筒１の第１部材１１及び第２部材１２の内周面に形成した段部１１ｆ、１２ｆに回動自在に係止されることで、外筒１に対して内筒２が回動自在に保持されている。
【００８９】
図１８、図２１に示すように、内筒２には、径方向内側に三角形状に突出する凸部２１が形成されている。凸部２１は、内筒２の周方向に１２０°間隔で３箇所に形成されている。各凸部２１は、頂部を挟んで互いに連結する一対の斜面２１ａを有する。各斜面２１ａには、それぞれ軸受部２１ｂとしての孔が形成されている。
【００９０】
内筒２の上流側部分には、スリット２４が形成されている。スリット２４は、内筒２の軸方向に延びており、その一端は上流側周縁部に開口し、その他端は内筒２の軸方向の略下流側部分に位置して閉止している。スリット２４は、内筒２の周方向に１２０°間隔で３箇所に形成されている。スリット２４は、内筒２の周方向で２つの凸部２１の間に形成されている。
【００９１】
内筒２の三角形状に突出する３つの凸部２１の頂部には、被覆リブ４６が一体に連結されている。被覆リブ４６は、内筒２の軸中心に向かって径方向内側に延びている。三本の被覆リブ４６の交わる軸中心に、本体支持部４５が配設されている。図１９に示すように、本体支持部４５は、上流側が凹設されていて、その凹設部に摺動部４７を設けている。
【００９２】
図１９に示すように、摺動部４７は、シム４８を介して、リテーナ６に固定された連結支持部４１のピン４２のボール部４２ａを支持している。ボール部４２ａは、摺動部４７により支持されることで、リテーナ６に対して、内筒２を一体的に全方位に回動可能とさせる。内筒２がリテーナ６に対して回動することで、内筒２を保持する外筒１、内筒２に支持されているダンパ群３０を一体的に、全方位に回動可能とさせる。
【００９３】
図２１、図１８に示すように、操作部５は、流体通路７の軸線方向に延びる略三角枠状の薄板５１と、薄板５１に連結された円弧部５２とからなる。円弧部５２の中心は、三角枠形状の薄板５１の中心と共通する。三角枠形状の薄板５１の各頂点は、内筒２の下流側の内周面に一体に固定されている。内筒２と操作部５との間、薄板５１と円筒部５２との間、及び円筒部５２の内部は、流体の流通が可能な空間５０が形成されている。円弧部５２の径方向内側の空間５０には、内筒２に固定された円形状の本体支持部４５、及び被覆リブ４６が露出している。
【００９４】
図２１に示すように、ダンパ群３０は、内筒２の内部に形成された流体通路７に配置されている。ダンパ群３０は、３つのダンパ３から構成されている。各ダンパ３は、内筒２に対して揺動可能に支持されている。ダンパ３は、内筒２に対して揺動することにより流体通路７の軸方向に対する傾斜角度が調整される。
【００９５】
図２３に示すように、３つのダンパ３は、互いに同じ構造をもつ。各ダンパ３は、略扇形状を呈するダンパ本体３１と、ダンパ本体３１の周方向両端に設けられた一対の支持部３２と、ダンパ本体３１の外側面に設けられた突起部３６とを有する。支持部３２は、ダンパ本体３１から内側に折り返された折り返し部３２ａと、折り返し部３２ａの外側面に突出する軸部３２ｂとを有する。軸部３２ｂは、内筒２の凸部２１の斜面２１ａに形成した軸受部２１ｂに回動自在に嵌合されている。軸部３２ｂが軸受部２１ｂに回動自在に嵌合されることで、ダンパ３は内筒２に対して揺動自在に保持される。
【００９６】
内筒２を周方向に等間隔に分割する位置には、複数の軸受部２１ｂが配置されている。隣合う各軸受部２１ｂを直線状に繋ぐ弦２０を回動中心軸として、各ダンパ３は内筒２に対して揺動される（図７参照）。ダンパ３は、内筒２に対して揺動することで、流体通路７の軸方向に対する傾斜角度が変更され、流体通路７を流通する空調空気の量が調整される。
【００９７】
図１８、図２３に示すように、ダンパ本体３１は、軸方向に対して所定角度に揺動自在に配置されている。ダンパ本体３１の内周縁部３１ｂは流体通路７の径方向内側を向き、ダンパ本体３１の外周縁部３１ａは流体通路７の径方向外側を向いている。そして、ダンパ本体３１の全体形状は平坦である。
【００９８】
ダンパ本体３１は、一対の支持部３２の間であって支持部３２よりも外側に形成された外周縁部３１ａと、一対の支持部３２の間であって支持部３２よりも内側に形成された内側縁部３１ｂとで囲まれている。
【００９９】
ダンパ本体３１の外周縁部３１ａは、緩やかな円弧形状を呈している。ダンパ本体３１の外周縁部３１ａは、ダンパ３の上流側に位置していて、内筒２の内周面に対面している。図２４に示すように、ダンパ３が閉位置にあるとき、ダンパ本体３１の外周縁部３１ａは、内筒２の内周面に傾斜して接するため,内筒２の内周面よりも緩やかな円弧を描いている。流体通路７の軸方向に対するダンパ本体３１の傾斜角度が変化することで、ダンパ本体３１の外周縁部３１ａは、内筒２との間を開閉する。
【０１００】
図１９に示すように、傾斜角度とは、ダンパ本体３１の外周縁部３１ａの中心部３１ｆと、ダンパ本体３１の内周縁部３１ｂの中心部である頂部３１ｄとを繋ぐ直線Ｌ１が、流体通路７との中心軸線Ｌ２との間に形成する角度である。
【０１０１】
図２３に示すように、ダンパ本体３１の内周縁部３１ｂは、ダンパ３の下流側に位置していて、他のダンパ３のダンパ本体３１の内周縁部３１ｂと互いに対向している。ダンパ本体３１の内周縁部３１ｂは、両端部の各支持部３２から直線状に延びる一対の直線部３１ｃと、一対の直線部３１ｃの間に形成された頂部３１ｄとから構成されている。
【０１０２】
ダンパ本体３１の外側面には、略半円板形状をなす半円部３５が突出している。半円部３５の円弧状の縁部３５ａの両端は、流体通路７の軸方向の上流側及び下流側に配置されている。半円部３５の縁部３５ａの中央部には、突起部３６が半円部３５の径方向外側に向かって突設している。
【０１０３】
ダンパ３の半円部３５は、内筒２のスリット２４を貫挿されている。ダンパ３の半円部３５に突設された突起部３６は、外筒１のガイド溝１３ｄに嵌合されている。突起部３６は、ガイド溝１３ｄの中を移動することができる。内筒２に対して外筒１を相対回転移動させると、内筒２に保持されたダンパ３の突起部３６は、外筒１のガイド溝１３ｄに沿って移動する。
【０１０４】
ガイド溝１３ｄは、螺旋形状を呈している。操作部５の操作により内筒２を周方向に回動させると、外筒１が内筒２に対して相対的に回動移動される。外筒１の周方向の回転移動によりガイド溝１３ｄの中を突起部３６が移動すると、突起部３６の軸方向の位置が変わる。ダンパ３の軸部３２ｂに対する突起部３６の軸方向の位置が変わるため、ダンパ３が軸部３２ｂを中心にして揺動する。突起部３６が上流側に移動されると、ダンパ本体３１の内周縁部３１ｂは径方向外側に移動され、ダンパ本体３１の外周縁部３１ａは径方向内側に移動される。突起部３６が下流側に移動されると、ダンパ本体３１の内周縁部３１ｂは径方向内側に移動され、ダンパ本体３１の外周縁部３１ａは径方向外側に移動される。このように、ガイド溝１３ｄは、内筒２の回動に連動して突起部３６を軸方向に移動させる。突起部３６及びガイド溝１３ｄは、外筒１に対する内筒２の移動に連動させて、ダンパ３の傾斜角度を制御する角度制御手段を構成している。
【０１０５】
図２１、図２３に示すように、突起部３６がガイド溝１３ｄの上流側端部１３ａに位置しているときには、ダンパ群３０を構成する３つの各ダンパ３は、それぞれダンパ本体３１を内筒２の軸方向と平行に配置される。このときのダンパ３の傾斜角度は０°である。
【０１０６】
操作部５を操作することにより内筒２を図２３紙面上で右方向に回動させると、突起部３６が、ガイド溝１３ｄの上流側端部１３ａから、ガイド溝１３ｄの下流側に移動される。これにともない、内筒２が外筒１に対して回動しながらダンパ３の傾斜角度が徐々に大きくなり、ダンパ３の内周縁部３１ｂが径方向内側に移動される。突起部３６がガイド溝１３ｄの下流側端部１３ｂに移動されると、そこで突起部３６が停止され、それ以上の内筒２の回動が停止される。
【０１０７】
図２４に示すように、このときダンパ３の内周縁部３１ｂは、直線部３１ｃで互いに接して、流体通路７を閉止する。ダンパ３の外周縁部３１ａは内筒２の内周面との間を閉止する。ダンパ本体３１の頂部３１ｄは、凹状に窪んでいるため、３つのダンパ本体３１が閉止したときに、円形状の隙間５９があく。しかし、この隙間５９は、本体支持部４５に覆われているため、流体通路７での流体の流れは閉止される。
【０１０８】
ここで、図２４に示すように、ダンパ３が閉止したときには、各ダンパ３のダンパ本体３１の直線部３１ｃは互いに接して閉止される。３つのダンパ３の内周縁部３１ｂの間に形成された境界線Ａは、内筒２の軸中心を中心とする放射形状を呈している。閉止したダンパ本体３１の直線部３１ｃの配置された位置には、被覆リブ４６が位置している。被覆リブ４６は、ダンパ３間の境界線Ａに沿った放射形状を呈している。閉止したダンパ本体３１の直線部３１ｃの上流側は、被覆リブ４６で被覆される。流体通路７の上流側から流通してきた空調空気７０は、被覆リブ４６を避けて、被覆リブ４６の両側面に沿って流れる。被覆リブ４６の先端まで流通した空調空気７０は、閉止したダンパ本体３１に衝突してダンパ本体３１に沿って径方向外側に流れる。ダンパ本体３１の直線部３１ｃと被覆リブ４６との間の隙間に存在する空気７９は、径方向外側に流れる空調空気７０の流れに吸い寄せられ、空調空気７０とともに径方向外側に流通する。このため、ダンパ本体３１の直線部３１ｃの間の隙間から空気が漏れ出ることなく、空気が下流側に流れることを確実に防止できる。
【０１０９】
ここで、被覆リブ４６の断面形状の態様について図２６を用いて説明する。図２６に示すように、被覆リブ４６のダンパ本体３１と対面している部分は、ダンパ本体３１の直線部３１ｃ近傍の形状に沿った形状を呈しているとよい。例えば、図２６（ａ）に示す被覆リブ４６の断面形状は、内筒２の中心軸線に平行に延びる細長い四角形である。被覆リブ４６のダンパ本体３１と対面している部分は、ダンパ本体３１の傾斜方向に沿った斜面４６ａを有する。
【０１１０】
図２６（ｂ）に示す被覆リブ４６の断面形状は、三角形を呈している。被覆リブ４６のダンパ本体３１と対面している部分は、ダンパ本体３１の傾斜方向に沿った斜面４６ｂを形成している。図２６（ｃ）に示す被覆リブ４６の断面形状は、内筒２の中心軸線に平行に延びる細長い四角形を呈している。ダンパ本体３１の直線部３１ｃは、被覆リブ４６の形状に沿って凹状段部３１ｇが形成されている。図２６（ｄ）に示す被覆リブ４６の断面形状は、ダンパ本体３１の傾斜方向に沿って延びる部分４６ｃをもつ菱形である。図２６には、種々の被覆リブ４６の形状を列挙したが、被覆リブ４６の形状はこれに限定されない。
【０１１１】
図２６（ａ）の丸囲み部分に示すように、被覆リブ４６のダンパ３に対向している対向面４６ｅは、閉位置にあるダンパ３と平行であったり、又は非平行であったりするが、好ましくは平行であるとよい。被覆リブ４６の対向面４６ｅがダンパ３と平行である場合には、ダンパ３と被覆リブ４６とが干渉する現象を回避できる。また、被覆リブ４６の対向面４６ｅと閉位置にあるダンパ３との間の間隔は、対向面４６ｅの中心に向かって徐々に減少してもよいし、増加してもよく、或いは対向面４６ｅ全体でダンパ３との間の間隔を同じに維持していてもよい。
【０１１２】
被覆リブ４６の対向面４６ｅと、閉位置にあるダンパ３との間の平均間隔Ｄは、０ｍｍ以上２．０ｍｍ以下であることが好ましい。平均間隔Ｄが過小の場合には、ダンパの揺動時にダンパ３が被覆リブ４６に干渉するおそれがあり、平均間隔Ｄが過大である場合には、被覆リブ４６の対向面４６ｅとダンパ３との間の隙間に空調空気７０が流通して、ダンパ３間の隙間から空調空気７０が下流側に漏れ出るおそれがある。
【０１１３】
被覆リブ４６の対向面４６ｅの幅Ｈは０．４ｍｍ以上１ｍｍ以下であることが好ましい。幅Ｈが過小の場合には、ダンパ３間を被覆する効果が薄れ、ダンパ３間の隙間から空調空気が漏れ出るおそれがある。幅Ｈが過大である場合には、揺動時にダンパ３が被覆リブ４６に干渉するおそれがある。幅Ｈの寸法が大きいと、圧力損失が大きくなるおそれがある。
【０１１４】
本実施形態によれば、図２４に示すように、流体通路７におけるダンパ３の上流側に、被覆リブ４６を配設している。ダンパ３が閉位置にあるときに、被覆リブ４６は、互いに隣合うダンパ３の内周縁部３１ｂと他のダンパ３の内周縁部３１ｂとの間の境界線Ａに沿って、ダンパ３の内周縁部３１ｂと隣合う他のダンパ３の内周縁部３１ｂとを被覆する。このため、上流側から空調空気７０が流通してきたときに、空調空気７０は、被覆リブ４６により遮られ、互いに隣合うダンパ３の内周縁部３１ｂの間の境界線Ａから下流側に漏れ出ることを確実に防止することができる。また、被覆リブ４６は、細長いリブ形状を呈しているため、流体通路７を通過する空調空気７０の流通を妨げず、圧力損失を低く抑えることができる。
【０１１５】
被覆リブ４６は、各ダンパ３が閉位置にあるときに形成される放射形状の境界線Ａと相応する放射状を呈している。このため、流体通路７に配設したすべてのダンパ３の内周縁部３１ｂの間を被覆リブ４６で被覆する。ゆえに、ダンパ３の内周縁部３１ｂの間の隙間から空調空気７０が漏れ出ることを確実に防止できる。
【０１１６】
被覆リブ４６は、内筒２から径方向内側に延びている。各ダンパ３は、内筒２の各一対の軸受部２１ｂに軸支された一対の支持部３２をもつ。ダンパが筒体に揺動可能に安定に固定される。
【０１１７】
図２３に示すように、内筒２を周方向に等間隔に分割する位置に複数の軸受部２１ｂを配置し、各軸受部２１ｂを直線状に繋ぐ弦２０を回動中心軸として各ダンパ３が揺動する。ダンパ３が内筒２に揺動可能に安定に支持されるため、閉位置にあるダンパ３の内周縁部３１ｂの間の隙間を少なくできる。ダンパ閉時に空調空気７０の漏出を更に確実に防止することができる。
【０１１８】
流体通路７において、ダンパ３が閉位置にあるときに、ダンパ３の内周縁部３１ｂは、ダンパ３の回動中心軸よりも下流側に配置されている。閉位置にあるダンパ３が、回動中心軸よりも下流側に配置されると、被覆リブ４６は、開閉するダンパ３の移動軌跡以外の部分に配置することができる。このため、ダンパ３と被覆リブ４６との干渉を防止でき、ダンパ４を円滑に開閉することができる。
【０１１９】
図１８，図１９に示すように、更に、外筒１、内筒２及びダンパ群３０からなる本体部２５を一体的に回動自在に収容する筒状のリテーナ６と、内筒２から径方向内側に延びる被覆リブ４６に連結された本体支持部４５とを備えている。本体支持部４５は、内筒２の軸中心に位置して本体部２５をリテーナ６に対して回動自在に支持する。このため、リテーナ６に対して本体部２５全体の傾斜角度を調整して、ダンパ群３０を構成する全てのダンパ３の傾斜角度を一括して可変させることができる。ゆえに、吹出し口８０から流出する空調空気７０の向きを自在に調整することができる。また、被覆リブ４６は、本体支持部４５を内筒２に保持するための連結部材としての機能も持ち合わせている。このため、ダンパ開閉機構１０の部品点数を増やすことなく、閉止時にダンパ３の下流側への流体の流出を防止できる。
【０１２０】
実施形態４では、リテーナ６に連結支持部４１を固定していて、連結支持部４１は、ボール部４２ａをもつピン４２を有する。内筒２には本体支持部４５が固定されていて、本体支持部４５に形成した摺動部４７は、弾性ゴム又はシリコンからなるシム４８を介して、ピン４２のボール部４２ａと方位自在に回動するようにピン４２に支持されている。このため、本体支持部４５を固定している内筒２、及び内筒２を保持している外筒１、及び内筒２に保持されているダンパ群３０及び操作部５を本体部２５として一体的に、方位自在に回動させることができる。
【０１２１】
摺動部４７は、ピン４２のボール部４２ａに対して円滑に回動するため、本体部２５も円滑に且つ安定に回動することができる。
【０１２２】
また、連結支持部４１及び本体支持部４５は、いずれも流体通路７の中に配置されている。連結支持部４１は第１リブ４４を介してリテーナ６に固定されており、本体支持部４５は被覆リブ４６を介して内筒２に固定されている。第１リブ４４及び被覆リブ４６は、流体通路７で周方向の同じ位置に配置されており、しかも、いずれも流体通路７の軸方向に平行に細長く延びる形状を呈している。また、流体通路７の中心軸上には、連結支持部４１及び本体支持部４５が配置されているが、いずれも流体通路７の中で比較的小さい。このため、流体通路７の圧力損失を低く抑えることができる。
【０１２３】
また、流体通路７０の下流側にダンパ本体３１の内周側縁部３１ｂを配置し、流体通路７０の上流側にダンパ本体３１の外周側縁部３１ａを配置している。連結支持部４１は、ダンパ３よりも上流側に配置されている。このため、下流側の吹出し口８０から手が挿入されたとき、揺動するダンパ３と内筒２との間に手が挟まれることを防止して、ダンパ３の開閉の妨げを防止できる。
【０１２４】
実施形態４では、連結支持部４１が支持部４３に立設されたピン４２であるが、支持部４３にピン４２が一体に成形されていてもよい。また、リテーナ６に固定された連結支持部４１はボール部４２ａを有するピン４２を備え、内筒２に固定されている本体支持部４５は摺動部４７を備えているが、連結支持部４１が摺動部４７を備え、本体支持部４５がボール部４２ａを有するピン４２を備えていても良い。
【符号の説明】
【０１２５】
１：外筒、２：内筒、３：ダンパ、５：操作部、６：リテーナ６、７：流体通路、８０：吹出し口、１０：ダンパ開閉装置、１１：第１部材、１２：第２部材、１３：第１ガイド溝、１３ｄ：ガイド溝、１４：第２ガイド溝、１９：ラック、２０：弦、２１：２２：フランジ部、２１ｂ：軸受部、２３：幅広部、２４：スリット、２５：本体部、３０：ダンパ群、３１：ダンパ本体、３１ａ：外周縁部、３１ｂ：内周縁部、３２：支持部、３３：第１突起部、３４：第２突起部、３５：半円部、３６：突起部、３９：ピニオン、４１：連結支持部、４２：ピン、４４：第１リブ、４５：本体支持部,４６：第２リブ、゛７０：空調空気、８０：吹出し口
【図１】
2014184947.tif 000003
【図２】
2014184947.tif 000004
【図３】
2014184947.tif 000005
【図４】
2014184947.tif 000006
【図５】
2014184947.tif 000007
【図６】
2014184947.tif 000008
【図７】
2014184947.tif 000009
【図８】
2014184947.tif 000010
【図９】
2014184947.tif 000011
【図１０】
2014184947.tif 000012
【図１１】
2014184947.tif 000013
【図１２】
2014184947.tif 000014
【図１３】
2014184947.tif 000015
【図１４】
2014184947.tif 000016
【図１５】
2014184947.tif 000017
【図１６】
2014184947.tif 000018
【図１７】
2014184947.tif 000019
【図１８】
2014184947.tif 000020
【図１９】
2014184947.tif 000021
【図２０】
2014184947.tif 000022
【図２１】
2014184947.tif 000023
【図２２】
2014184947.tif 000024
【図２３】
2014184947.tif 000025
【図２４】
2014184947.tif 000026
【図２５】
2014184947.tif 000027
【図２６】
2014184947.tif 000028
【図２７】
2014184947.tif 000029